(57)【要約】ローカルエリア・ピアツーピア・ネットワークにおいて用いるパラメータの選択を容易化するシステム及び方法を説明する。これらパラメータは、トーン間隔、サイクリックプレフィックス、及びシンボル時間などに関連付けることができる。さらに、該パラメータは、ローカルエリア・ピアツーピア・ネットワークに関連する状態（例、ピア探索状態、制御関連トラヒック状態、データ関連トラヒック状態、…）の関数とすることができる。加えて、ローカルエリア・ピアツーピア・ネットワークは広域ネットワークと帯域を共用することができ、しかして、ピアツーピア・ネットワークのパラメータは、広域ネットワークの種類（例、エア・インタフェース技術）及び／又は広域ネットワークに関連するパラメータに基づいて選定することができる。
2009523382.tif 000002
【特許請求の範囲】
【請求項１】
ローカルエリア・ピアツーピア・ネットワークにおけるパラメータ選(peer discovery state)定を容易化する方法であって、
ピアツーピア・ネットワークの第一状態に対し、パラメータの第一組を用いることと、
前記ピアツーピア・ネットワークの第二状態に対し、パラメータの第二組を用いることと、
を備える方法。
【請求項２】
前記ローカルエリア・ピアツーピア・ネットワークはＯＦＤＭベースのエア・インタフェース技術を用い、前記パラメータはトーン間隔、シンボル時間、及び／又はサイクリックプレフィックスに関する、請求項１に記載の方法。
【請求項３】
前記第一状態はピア探索状態又は制御関連トラヒック状態であり、前記第二状態はデータ関連トラヒック状態である、請求項２に記載の方法。
【請求項４】
前記パラメータの第一組は、前記パラメータの第二組よりも短いシンボル時間と長いトーン間隔を含む、請求項３に記載の方法。
【請求項５】
前記パラメータの第一組と前記パラメータの第二組とが同様なサイクリックプレフィックスを含む、請求項３に記載の方法。
【請求項６】
前記パラメータの第一組は前記第一状態に対する所定時間枠の間に用いられ、前記パラメータの第二組は前記第二状態に対する異なる所定時間枠の間に用いられる、請求項１に記載の方法。
【請求項７】
前記第一状態又は前記第二状態が現在時間に関連しているかどうかを識別することをさらに備える、請求項１に記載の方法。
【請求項８】
システム情報源から前記現在時間を得ること、及び、前記状態と前記現在時間との間の所定のマッピングを使って、前記現在時間に関連する前記状態を判断することをさらに備える、請求項７に記載の方法。
【請求項９】
前記システム情報源は、広域ネットワークの基地局又は接続ポイントからのブロードキャスト信号、ＧＰＳ人工衛星からの衛星信号、及び内部クロックからのクロック信号のうちの一つである、請求項８に記載の方法。
【請求項１０】
前記識別された状態に応じてパラメータにアクセスすることをさらに備える、請求項７に記載の方法。
【請求項１１】
前記パラメータにアクセスすることは、メモリに保持されたルックアップ・テーブルから前記識別された状態に対応する前記パラメータを読み出すことをさらに備える、請求項１０に記載の方法。
【請求項１２】
前記パラメータにアクセスすることは、前記識別された状態に少なくとも部分的に基づいて前記パラメータを計算することをさらに備える、請求項１０に記載の方法。
【請求項１３】
前記ピアツーピア・ネットワークは、広域ネットワークと帯域幅を共用する、請求項１に記載の方法。
【請求項１４】
前記パラメータの第一組及び前記パラメータの第二組は、前記広域ネットワークに関連するパラメータの関数である、請求項１３に記載の方法。
【請求項１５】
ピアツーピア通信に関連する状態を識別すること、及び前記識別された状態に応じて前記ピアツーピア通信に対し用いられるパラメータの組を確認することに関わる命令を保持するメモリと、
前記メモリに連結され、前記メモリ中に保持された前記命令を実行するよう構成されたプロセッサと、
を備える無線通信装置。
【請求項１６】
前記ピアツーピア通信は、ＯＦＤＭベースのエア・インタフェース技術を用い、前記パラメータの組はトーン間隔、シンボル時間及び／又はサイクリックプレフィックスに関する、請求項１５に記載の無線通信装置。
【請求項１７】
前記メモリは、ピア探索、データ関連トラヒック、及び制御関連トラヒックに関連する時間枠を、前記状態と前記時間枠との間の所定のマッピングに従って認識するための命令をさらに保持する、請求項１６に記載の無線通信装置。
【請求項１８】
前記メモリは、前記状態を通信範囲内に位置するピアと同期させるための命令をさらに保持する、請求項１５に記載の無線通信装置。
【請求項１９】
前記メモリは、システム情報源からタイミング情報を得、前記状態と前記タイミング情報との間の所定のマッピングを使って前記タイミング情報に関連する前記状態を判断するための命令を、さらに保持する、請求項１８に記載の無線通信装置。
【請求項２０】
前記システム情報源は、広域ネットワークの基地局又は接続ポイントからのブロードキャスト信号、ＧＰＳ人工衛星からの衛星信号、及び内部クロックからのクロック信号のうちの一つである、請求項１９に記載の方法。
【請求項２１】
前記メモリは、所定の算式に基づいて前記状態を判断するための命令をさらに保持する、請求項１５に記載の無線通信装置。
【請求項２２】
前記メモリは、前記ピアツーピア・ネットワークの複数の状態に対応するパラメータ・データを含むルックアップ・テーブルをさらに保持する、請求項１５に記載の無線通信装置。
【請求項２３】
前記メモリは、前記識別された状態に基づき前記ルックアップ・テーブルからパラメータ・データを読み出すための命令をさらに保持する、請求項２２に記載の無線通信装置。
【請求項２４】
前記メモリは、前記識別された状態に応じて、前記パラメータの少なくとも一つを導き出すための命令をさらに保持する、請求項１５に記載の無線通信装置。
【請求項２５】
前記メモリは、ピアツーピア通信が行き来する帯域幅を前記ピアツーピア・ネットワークと共用する広域ネットワークのエア・インタフェース技術を識別するための命令をさらに保持する、請求項１５に記載の無線通信装置。
【請求項２６】
前記メモリは、前記広域ネットワークの前記識別されたエア・インタフェース技術に基づいて前記パラメータの少なくとも一つを選定するための命令をさらに保持する、請求項２５に記載の無線通信装置。
【請求項２７】
ローカルエリア・ピアツーピア・ネットワークを介する通信を可能にする無線通信装置であって、
ピアツーピア通信に関連する状態を識別する手段と、
前記状態に応じて前記ピアツーピア通信に用いられるパラメータの組にアクセスする手段と、
を備える無線通信装置。
【請求項２８】
前記ピアツーピア通信はＯＦＤＭベースのエア・インタフェース技術を用い、前記パラメータの組はトーン間隔、シンボル時間、及び／又はサイクリックプレフィックスに関する、請求項２７に記載の無線通信装置。
【請求項２９】
前記状態がピア探索又は制御関連トラヒックに関する場合には、前記状態がデータ関連トラヒックに関する場合よりも短いシンボル時間と大きなトーン間隔を選定する手段をさらに備える、請求項２８に記載の無線通信装置。
【請求項３０】
前記識別された状態が、ピア探索状態、制御関連トラヒック状態、又はデータ関連トラヒック状態の場合に、同様なサイクリックプレフィックスを選定する手段をさらに備える、請求項２８に記載の無線通信装置。
【請求項３１】
現在時間に基づいて前記状態を識別する手段をさらに含む、請求項２７に記載の無線通信装置。
【請求項３２】
システム情報源に基づいて前記現在時間を同期する手段と、
前記状態と前記現在時間との間の所定のマッピングを使って、前記現在時間に関連する前記状態を判断する手段と、
をさらに備える、請求項３１に記載の無線通信装置。
【請求項３３】
前記システム情報源は、広域ネットワークの基地局又は接続ポイントからのブロードキャスト信号、ＧＰＳ人工衛星からの衛星信号、及び内部クロックからのクロック信号のうちの一つである、請求項３２に記載の無線通信装置。
【請求項３４】
前記ローカルエリア・ピアツーピア・ネットワークと帯域を共用する広域ネットワークに関連するエア・インタフェース技術を識別する手段をさらに備える、請求項２７に記載の無線通信装置。
【請求項３５】
前記状態と前記エア・インタフェース技術とに基づいて前記パラメータの組を選定する手段をさらに備える、請求項３４に記載の無線通信装置。
【請求項３６】
前記識別された状態に基づき、前記パラメータの組の少なくとも一つのパラメータを計算する手段をさらに備える、請求項２７に記載の無線通信装置。
【請求項３７】
前記識別された状態に基づき、メモリに保持されたルックアップ・テーブルから前記パラメータの組の少なくとも一つのパラメータを読み出す手段をさらに備える、請求項２７に記載の無線通信装置。
【請求項３８】
ピアツーピア・ネットワークの状態を判断することと、
前記ピアツーピア・ネットワークと共通の帯域幅を共用している広域ネットワークの種類を判定することと、
前記状態と前記広域ネットワークの前記種類に基づいて、前記ピアツーピア・ネットワークで使うパラメータ・データを取得することと、
に対するマシン実行可能命令を格納しているマシン可読の媒体。
【請求項３９】
前記マシン実行可能命令は、所定の算式と同期化された時間とに基づいて前記状態を導き出すことをさらに備える、請求項３８に記載のマシン可読の媒体。
【請求項４０】
前記マシン実行可能命令は、システム情報源から得られた情報に基づき前記時間を同期することと、前記状態と前記時間との間の所定のマッピングを使って前記時間に関連する前記状態を判断することとをさらに備える、請求項３９に記載のマシン可読の媒体。
【請求項４１】
前記システム情報源は、広域ネットワークの基地局又は接続ポイントからのブロードキャスト信号、ＧＰＳ人工衛星からの衛星信号、及び内部クロックからのクロック信号のうちの一つである、請求項４０に記載のマシン可読の媒体。
【請求項４２】
前記マシン実行可能命令は、前記広域ネットワークに関連するパラメータを得ることと、前記広域ネットワークに関連するパラメータの関数としてパラメータ・データを取得することとをさらに備える、請求項３８に記載のマシン可読の媒体。
【請求項４３】
前記ピアツーピア・ネットワークはＯＦＤＭベースのエア・インタフェース技術を用い、前記パラメータ・データはトーン間隔、シンボル時間、及び／又はサイクリックプレフィックスに関する、請求項３８に記載のマシン可読の媒体。
【請求項４４】
前記マシン実行可能命令は、前記識別された状態がピア探索又は制御関連トラヒックに関する場合は、前記識別された状態がデータ関連トラヒックに関する場合よりも短いシンボル時間と大きなトーン間隔を含むパラメータ・データを取得することをさらに備える、請求項４３に記載のマシン可読の媒体。
【請求項４５】
前記マシン実行可能命令は、前記識別された状態が、ピア探索状態、制御関連トラヒック状態、及びデータ関連トラヒック状態である場合に同様なサイクリックプレフィックスを含むパラメータ・データを得ることをさらに備える、請求項４３に記載のマシン可読の媒体。
【請求項４６】
無線通信システムにおいて、
ピアツーピア・ネットワークを介する通信に関連する状態を判断し、
前記状態に応じ、前記ピアツーピア・ネットワークを介する通信に使われるパラメータの組を得る、
ように構成されたプロセッサを備える装置。
【発明の詳細な説明】
【技術分野】
【０００１】
［関連出願の相互参照］
本出願は、２００６年１月１１日出願の米国特許仮出願第６０／７５８，０１０号、名称「無線標識信号を使って、識別、同期化、又は取得を容易化する方法及び装置（METHODS AND APPARATUS FOR FACILITATING IDENTIFICATION, SYNCHRONIZATION OR ACQUISITION USING BEACON SIGNALS）」；２００６年１月１１日出願の米国特許仮出願第６０／７５８，０１１号、名称「アドホック無線通信ネットワークにおいて、識別、同期化、又は取得のため無線標識信号を使う方法及び装置（METHODS AND APPARATUS FOR USING BEACON SIGNALS FOR IDENTIFICATION, SYNCHRONIZATION OR ACQUISITION IN AN AD HOC WIRELESS NETWORK）」；２００６年１月１１日出願の米国特許仮出願第６０／７５８，０１２号、名称「コグニティブ無線ネットワークにおいて無線標識信号を使う方法及び装置（METHODS AND APPARATUS FOR USING BEACON SIGNALS IN A COGNITIVE RADIO NETWORK）」；２００６年９月１５日出願の米国特許仮出願第６０／８４５，０５２号、名称「パワー割当てスキーム（POWER ALLOCATION SCHEME）」；２００６年９月１５日出願の米国特許仮出願第６０／８４５，０５１号、名称「混在無線通信システムにおける無線標識番号（BEACONS IN A MIXED WIRELESS COMMUNICATION SYSTEM）」；及び２００６年１０月２７日出願の米国特許仮出願第６０／８６３，３０４号、名称「混在通信システムにおける無線標識番号（BEACONS IN A MIXED COMMUNICATION SYSTEM）」に基く利益を主張する。前記の出願は参照することにより全体として本出願に組み込まれる。
【背景技術】
【０００２】
Ｉ．技術分野
以下の記載は、一般に無線通信に関し、さらに具体的には、ローカルエリア・ピアツーピア・ネットワーク（local area peer-to-peer network）を介した通信に対するパラメータの識別に関する。
【０００３】
ＩＩ．背景技術
無線通信システムが広く展開されてさまざまな種類の通信が提供され、例えば、こういった無線通信システムを使って音声及び／又はデータを送ることができる。典型的な無線通信システムないしネットワークは、複数のユーザに一つ以上の共用リソースへのアクセスを提供することができる。例えば、システムは、周波数分割多重化（ＦＤＭ）、時間分割多重化（ＴＤＭ）、符号分割多重化（ＣＤＭ）、直交周波数分割多重化（ＯＦＤＭ）などのさまざまな多元接続を用いることができる。
【０００４】
一般的な無線通信システムは、カバー区域を備えた一つ以上の基地局を用いる。典型的基地局は、ブロードキャスト、マルチキャスト、及び／又はユニキャスト・サービスのため複数のデータストリームを送信することができ、あるデータストリームをある端末装置が他に関係なく受信をしたいデータのストリームとすることができる。こういった基地局のカバー区域内では、無線端末装置を使って複合ストリームによって搬送される一つの、複数の、又は全てのデータストリームを受信することができる。さらに、無線端末装置は基地局あるいは別の無線端末装置にデータを送信することができる。
【０００５】
別の例によれば、無線通信システムは、しばしばピアツーピア（peer-to-peer ）ないしアドホック・アーキテクチャ(ad hoc architecture)を用い、これにより無線端末装置は別の無線端末装置に信号を直接に伝送することができる。しかして、信号は基地局を経由する必要がなく、区域内の無線端末装置は、互いに直接探索し及び／又は通信することができる。ピアツーピア・ネットワークによってデータを伝送するため、無線帯域のさまざまな部分を利用することができる。しかしながら無線帯域は高価で貴重なリソースである。さらに、従来方式のピアツーピア・ネットワークは、一般的に効率の悪いやり方で通信しており無線帯域に対する浪費が生じている。
【発明の開示】
【０００６】
［概要］
以下に、一つ以上の実施形態の簡単な要約を提示して、これら実施形態に対する基礎的な理解を提供する。この要約は、意図された全ての実施形態に対する広範囲な概観ではなく、全実施形態の主要又は重大な要素を識別することを意図したものでもなければ、実施形態のどれか又は全ての範囲を線引きすることを意図したものでもない。この唯一の目的は、後記において提示するさらに詳細な説明の前置きとして、一つ以上の実施形態のいくつかの概念を簡明な形で提示することである。
【０００７】
一つ以上の実施形態及び対応する開示内容により、ローカルエリア・ピアツーピア・ネットワークを利用するためのパラメータの選定を容易化することに関連して、種々の態様を説明する。これらパラメータは、トーン間隔（tone spacing）、サイクリックプレフィックス(cyclic prefix)、シンボル時間(symbol time)などに関連付けることができる。さらに、該パラメータを、ローカルエリア・ピアツーピア・ネットワークに関連する状態の（例、ピア探索状態(peer discovery state)、制御関連トラヒック状態(control related traffic state)、データ関連トラヒック状態(data related traffic state)、…）の関数とすることができる。加えて、ローカルエリア・ピアツーピア・ネットワークは帯域を広域ネットワーク(wide area network)と共用することができ、しかして、ピアツーピア・ネットワークに対するパラメータを、広域ネットワークの種類（例、エア・インタフェース技術）及び／又は広域ネットワークに関連するパラメータに基づいて選定することができる。
【０００８】
本明細書では、関連する態様を通して、ローカルエリア・ピアツーピア・ネットワークにおけるパラメータ選定を容易化する方法を説明する。該方法には、ピアツーピア・ネットワークにおける第一状態に対するパラメータの第一組を利用することを備えることができる。さらに、該方法には、ピアツーピア・ネットワークにおける第一第二状態に対するパラメータの第二組を利用することを含めることができる。
【０００９】
別の態様は無線通信装置に関する。該無線通信装置にはメモリを含め、ピアツーピア通信に関連する状態を識別し、識別された状態に応じてピアツーピア通信に使われるパラメータの組を確認することに関わる命令を、該メモリに保持させることができる。さらに、無線通信装置には、メモリと連結され、メモリ中に保持された命令を実行するよう構成されたプロセッサを含めることができる。
【００１０】
さらに別の態様は、ローカルエリア・ピアツーピア・ネットワークを介した通信を可能にする無線通信装置に関する。該無線通信装置には、ピアツーピア通信に関連する状態を識別する手段と、その状態に応じてピアツーピア通信に使われるパラメータの組にアクセスする手段とを含めることができる。
【００１１】
さらなる別の態様はマシン可読の媒体に関し、該媒体は、ピアツーピア・ネットワークの状態を判断し、ピアツーピア・ネットワークと共通の帯域幅を共用する広域ネットワークの種類を判定し、広域ネットワークの状態と種類とに基づいて、ピアツーピア・ネットワークに用いるパラメータ・データを取得するためのマシン実行可能な命令を格納する。
【００１２】
別の態様によれば、無線通信システム中の装置には、プロセッサを含めることができ、該プロセッサを、ピアツーピア・ネットワークを介した通信に関連する状態を判断し、その状態に応じてピアツーピア・ネットワークを介する通信に用いるパラメータの組を得るよう構成することができる。
【００１３】
前述の目的及び関連する目的を達成するため、前記一つ以上の実施形態は、以降に十分説明し、特に請求項の中で指摘する特質を備える。以降の記載及び添付の図面によって、一つ以上の実施形態の特定の例示的な態様を説明する。但し、これらの態様は、多様な実施形態に適用可能な原理のさまざまなやり方のいくつかを示すものであって、記載された実施形態には、そういった全ての態様及びその同等物を含むことが意図されている。
【００１４】
［詳細な説明］
以降に、図面を参照しながらさまざまな実施形態を説明し、全図面を通して同一の参照番号を使って同一の要素を表すものとする。以降の記載において、説明目的のため数々の特定の詳細内容を示し、一つ以上の実施形態に対する徹底した理解を提供する。但し、これらの特定の詳細内容でなくても、こういった実施形態を実行できることは明らかであろう。別の例示では、一つ以上の実施形態の説明を容易にするため、周知の構造及び装置はブロック図形式で示される。
【００１５】
本出願で用いられる用語「コンポーネント」、「モジュール」、「システム」及び類似の用語は、ハードウエア、ファームウエア、ソフトウエアとハードウエアとの組合せ、ソフトウエア、又は実行中のソフトウエア、などいずれかのコンピュータ関連の構成要素を示すものとして意図されている。例えば、コンポーネントは、以下に限らないが、プロセッサで実行される処理、プロセッサ、オブジェクト、実行ファイル、実行スレッド、プログラム、及び／又はコンピュータをいうことがある。説明のため、計算装置で実行されているアプリケーションと該装置との双方をコンポーネントとすることがある。一つ以上のコンポーネントが一つのプロセス及び／又は実行スレッドに所在することも、あるコンポーネントを一台のコンピュータにローカル化すること及び／又は２台以上のコンピュータに分散することもできる。さらに、各種のデータ構造を格納するコンピュータ可読の媒体から、これらのコンポーネントを実行することができる。これらコンポーネントは、一つ以上のデータパケット（例、ローカル・システム、分散システム、及び／又はインターネットなどのネットワークを通して、他のシステム中の別のコンポーネントと信号を使って相互交信するあるコンポーネントからのデータ）を有する信号によるなどして、ローカル及び／又は遠隔の処理を介して通信することができる。
【００１６】
さらに、本明細書では、無線端末装置に関してさまざまな態様が説明される。無線端末装置は、システム、加入者ユニット、加入者局、移動局、携帯電話、移動装置、遠隔局、遠隔端末、接続端末、ユーザ端末、端末装置、無線通信装置、ユーザ・エージェント、ユーザ・デバイス、又はユーザ装置（ＵＥ）と呼ばれることもある。無線端末装置は、携帯電話、無線電話、セッション・イニシエーション・プロトコル（ＳＩＰ）電話、無線ローカル・ループ（ＷＬＬ）局、携帯端末（ＰＤＡ）、無線接続能力を有する携帯装置、又は無線モデムに接続された処理装置とすることができる。さらに、本明細書では、基地局に関連するさまざまな実施形態を説明する。無線端末装置と通信するため基地局を利用することができ、基地局は、接続ポイント、ノードＢ、又は他の用語で呼ばれることもある。
【００１７】
さらに、本明細書に記載されたさまざまな態様又は特質を、標準的なプログラミング及び／又はエンジニアリング技法を使って、方法、装置、又は製造品として実装することができる。本明細書で用いる「製造品（article of manufacture）」という用語は、任意のコンピュータ可読の素子、担体、又は媒体を使ってアクセス可能なコンピュータ・プログラムを包含するものとして意図されている。例えば、コンピュータ可読の媒体には、以下に限らないが、磁気記憶装置（例、ハードディスク、フロッピー（登録商標）ディスク、磁気ストリップなど）、光ディスク（例、コンパクト・ディスク（ＣＤ）、デジタル多目的ディスク（ＤＶＤ）など）、スマート・カード、及びフラッシュ・メモリ装置（例、ＥＰＲＯＭ、カード、スティック、キードライブなど）を含めることができる。さらに、本明細書に記載されるさまざまな記憶媒体は、情報を格納するための一つ以上の装置、及び／又はマシン可読の媒体を代表することができる。「マシン可読媒体」という用語には、以下に限らないが、無線チャネルと、命令及び／又はデータを格納、包含及び／又は担持することが可能な他のさまざまな媒体とを含めることができる。
【００１８】
さて、図１を参照すると、本明細書で提示するさまざまな実施形態による無線通信システム１００が示されている。システム１００には、一つ以上の無線端末装置１０２を備えることができる。なお、２台の無線端末装置１０２が図示されているが、システム１００には、実際上任意の数の無線端末装置１０２を含めることができるのはいうまでもない。無線端末装置１０２を、例えば、携帯電話、スマート電話、ノートパソコン、携帯通信装置、携帯計算装置、人工衛星ラジオ、地球測位システム、ＰＤＡｓ、及び／又は、無線通信システム１００を介して通信をするための他の適切な任意の装置とすることができる。無線端末装置１０２は、ローカルエリア・ピアツーピア（Ｐ２Ｐ）ネットワーク（例、アドホック・ネットワーク）を介して相互に直接通信することができる。ピアツーピア通信は、無線端末装置１０２どうしの間で直接信号を伝送することによって実施することができ、しかして信号を基地局（例、基地局１０４）を経由させる必要はない。
【００１９】
さらに、システム１００は、広域ネットワーク（ＷＡＮ）をサポートすることができる。システム１００には、基地局１０４（例、接続ポイント）及び／又は、基地局相互に及び／又は一つ以上無線端末装置１０２と無線通信信号を受信、送信、反復などする、一つ以上のセクタを有する任意の数の別の基地局（図示せず）を含めることができる。当業者ならよく分かっていることだが、基地局１０４には、送信機の連鎖及び受信機の連鎖を備えることができ、これら送受信機には、さらに信号の送信及び受信に関わる複数のコンポーネント（例、プロセッサ、モジュレータ、マルチプレクサ、デモジュレータ、デマルチプレクサ、アンテナ、…）を備えることができる。無線端末装置１０２は、システム１００がサポートしている広域インフラストラクチャを経由して通信する場合、基地局１０４に信号を送信又はこれから信号を受信することができる。
【００２０】
無線端末装置１０２の間のピアツーピア通信を同期することができ、しかして無線端末装置群１０２は、共通の時間認識を持つことができる。例えば、無線端末装置１０２は、基地局（及び／又はこれより少ない機能を備えた送信機（図示せず））からタイミング信号を入手して無線端末装置１０２の同期化作業に利用することができる。さらに、各々のピアツーピア通信はそれ自体の時間を設定するよう意図されている。ある例によれば、無線端末装置１０２は、第一時間枠（period of time）にピア探索(peer discovery）を実施し、第二時間枠にトラヒックを送信及び／又は受信することができる。
【００２１】
無線端末装置１０２は、ピアツーピア通信に関連する時間枠中の状態を識別することができ、この状態は無線端末装置１０２の間の通信の種類（例、ピア探索、トラヒック、ページング、…）に関する。さらに、無線端末装置１０２は、識別された状態に関連して使われるパラメータの組を認識することができる。例えば、パラメータは、ＯＦＤＭベースのエア・インタフェース技術のトーン間隔、シンボル時間、サイクリックプレフィックスなどに、又はＣＤＭＡベースのエア・インタフェース技術のＣＤＭＡチップレートに関連付けることができる。加えて、パラメータの組を独自に調整していろいろな状態におけるシステム１００のパフォーマンスを最適化し、これによりシステム１００に関連する効率を向上することができる。例えば、干渉を処理／軽減し、帯域の再使用効率を向上し、オーバーヘッドを削減するなどのパラメータの組を選定することができる。
【００２２】
ローカルエリア・ピアツーピア・ネットワーク及び広域ネットワークは、通信を実施するため共通の無線帯域を共用することができ、しかして、帯域幅を共用しながら、異なった種類のネットワークを介してデータを伝送することができる。さらに、ローカルエリア・ピアツーピア・ネットワークに関連して用いたパラメータを、広域ネットワークに使われるパラメータの関数とすることができ、従って、これらのネットワークが同一の帯域で運用されても、ネットワークの各々の種類に対するパラメータは違わせることができる。さらに、ピアツーピア・ネットワークで使われるエア・インタフェース技法は、広域ネットワークで使われる技法とは異なっている。例えば、広域ネットワークは、ＯＦＤＭベースのエア・インタフェース技術（例、３ＧＰＰ  ＬＴＥ、ＷｉＭａｘ、フラッシュＯＦＤＭ、…）、ＣＤＭＡベースのエア・インタフェース技術（例、ＣＤＭＡ−２０００、ＥＶ−ＤＯ、ＵＭＴＳワイドバンドＣＤＭＡ、ＨＳＰＡ、…）、又はＴＤＭＡベースのエア・インタフェース技術（例、ＧＳＭ、ＧＰＲＳ、ＥＤＧＥ、…）を使うものとすることができ、一方、ローカルエリア・ピアツーピア・ネットワークには、ＯＦＤＭベースのエア・インタフェース技術を用いることができる。
【００２３】
次に、図２を見ると、ピアツーピア通信に関連する状態に応じてパラメータを選定するシステム２００が示されている。システム２００は、ピアツーピア・ネットワークを介して別の無線端末装置（例、ピア）（図示せず）と通信している無線端末装置２０２を含む。無線端末装置２０２には、ピアツーピア環境内のピアとのこういった信号の直接伝送を可能にする、コミュニケータ２０４を含めることができる。例えばコミュニケータ２０４は、ピアツーピア・アーキテクチャにおいて、半二重モードを使ってデータの直接伝送を可能にすることができ、この場合、無線端末装置２０２はピアとの信号を同時に受信及び送信することはできない。コミュニケータ２０４（及び／又は別のコンポーネント）は、無線端末装置２０２が広域ネットワークを介して基地局（図示せず）にデータ送信及び／又はこれから受信するのをさらに可能にすることができる。加えて、コミュニケータ２０４は、ローカルエリア・ピアツーピア・ネットワークと広域ネットワークとが帯域幅を共用するのを可能にすることができる。
【００２４】
無線端末装置２０２には、状態アイデンティファイヤ２０６及びパラメータ・セレクタ２０８をさらに含めることができる。状態アイデンティファイヤ２０６は、ローカルエリア・ピアツーピア・ネットワークに関する現在の状態を判断することができる。ピアツーピア・ネットワークは同期することができ、しかして、無線端末装置２０２と別の無線端末装置とは、一組の時間枠においてピア探索を実施し、異なる一組の時間枠中に制御関係のトラヒックを送信し、さらに別の一組の時間枠においてデータ関連のトラヒックを送信するなどすることができる。ある例によれば、状態アイデンティファイヤ２０６は、何らかの情報源からタイミング関連情報（例、現在時間（current time））を取得、感知、導出、生成などすることができ、該タイミング情報に基づいて、状態アイデンティファイヤ２０６は特定の時間（例、現在時間）における状態を判読することができる。状態アイデンティファイヤ２０６は（例えば、取得したタイミング情報に基づいて）無線端末装置２０２を別の無線端末装置と同期させることができ、例えば、状態アイデンティファイヤ２０６は、無線端末装置２０２を動作をそれに対して同期させることのできる信号を、情報源（例、基地局、送信機、…）から受信することができる。一部の実施形態において、ローカルエリア・ピアツーピア・ネットワークにおける全ての無線端末装置２０２に対する情報源は共通であり、該共通の情報源から導き出されたタイミング情報によって全ての無線端末装置が同期される。該ローカルエリア・ピアツーピア・ネットワークにおいて、所与の時間における状態は前もって定めたやり方により決まる。しかして、第一時間間隔においては状態はピア探索知であり、第二時間間隔においてはトラヒック状態である。第二時間間隔内で、第一部分はトラヒック制御に対するものであり、第二部分は、実際のトラヒック部分である。前記時間情報に対し全無線端末装置が同期されているので、状態も同期されることになる。しかして、第一時間間隔においては、ローカルエリア・ピアツーピア・ネットワーク中の全ての端末装置がピア探索の状態にあり、第二時間間隔においては、全端末装置はトラヒック状態にある。端末装置は、タイミング時間を同期させ、所定のやり方で状態をそのタイミングに関連付けることによって状態の同期化を達成する。従って、端末装置は、状態の同期化を達成するために端末装置の間で制御信号伝達を明示的に取り交わす必要はない。こうして、ローカルエリア・ピアツーピア・ネットワークを介して通信している無線端末装置は共通の時間認識を持つことができる。さらなる例として、状態アイデンティファイヤ２０６は、ピア探索状態、制御関連トラヒック状態、データ関連トラヒック状態、ページング状態などを認識することができる。異なる時間に対応するピアツーピア・ネットワークの状態を前もって定めることができる。例えば、こういった情報をメモリに格納されたルックアップ・テーブルに（例えば、状態アイデンティファイヤ２０６がアクセス可能なように）保持し、（例えば、所定の方式に基づいて）状態アイデンティファイヤ２０６がこれを導き出し及び／又は任意のやり方で状態アイデンティファイヤ２０６が取得できるようにすることができる。
【００２５】
パラメータ・セレクタ２０８は、状態アイデンティファイヤ２０６が判断した状態に関連するパラメータの組にアクセスすることができる。例えば、これらパラメータは、ＯＦＤＭベースのエア・インタフェース技術に対するトーン間隔、シンボル時間、サイクリックプレフィックスなどに、又はＣＤＭＡベースのエア・インタフェース技術に対するチップレートに関連付けることができる。パラメータ・セレクタ２０８に選択されたパラメータの組を、識別された状態に関連する条件に対し独自に対応させることができる。ある例によれば、ピア探索（及び／又は制御関連トラヒック）時において、パラメータ・セレクタ２０８は、無線端末装置２０２と別の無線端末装置との間での、（例えば、半二重モードを使ったピアツーピア通信に起因する）オーバーラップ伝送に関連する、干渉を軽減するパラメータの組を識別することができる。各無線装置はピア探索（及び／又は制御関連トラヒック）の間にランダムに伝送時間を選択することができる。無線装置は、半二重モードで作動が可能であるため、送信と聴取とを同時に行うことはできない。その結果、該装置は、送信時には他の装置から送られてきた信号を見逃すことがある。他からの信号の見逃し確率を低減させるためには送信の持続時間を低減することが望ましく、例えば、（無線端末装置２０２は受信と送信とを同時に行うことはできないので）多くの割合の時間をデータの受信にあて、より少ない割合の時間をデータの送信にあてることによって送信の持続時間を低減することができる。しかして、前記パラメータの組は（例えば、広域ネットワークで使われるシンボル時間と比較して）短縮されたシンボル時間を提供することができる。さらなる例として、データ関連トラヒック状態時において、パラメータ・セレクタ２０８は、半二重モードを考慮しながらパラメータの最適化バランスをすることをせず、オーバーヘッドを軽減するパラメータの組を選定することができる（例えば、サイクリックプレフィックスに比べてシンボル時間を増加するなどして）。というのは、データ関連トラヒックの時間枠の間は、無線端末装置２０２が、送信と受信との間での切り替えを行うことなく、送信又は受信いずれかだけを行うことになるからである。
【００２６】
図３を参照すると、ローカルエリア・ピアツーピア・ネットワークを介した通信に関連する状態の例の図３００が示されている。ある例によれば、図２のコミュニケータ２０４は、ピアツーピア・ネットワークを介して通信するため、下記の状態の各々に関連するオペレーションを実行する。図示するように水平軸３０２は時間を表す。図３００に含まれる各状態は、ピアツーピア・ネットワークを介した通信を最適化するための、それぞれのパラメータ組に関連付けることができ、これらパラメータは、各状態の間に生ずる信号伝達の種類に基づくものとすることができる。例えば、ピア探索状態３０４を使って、ピア（例、無線端末装置）は、ピアツーピア通信をサポートする区域内の別のピアを索定することができ、これにより、ピア探索３０４の間に相互検知及び識別を達成することができる。ピア探索３０４において、各ピアは、所定時間枠の間にいくつかのランダム選択されたシンボルを送信することができる。さらに、ピアツーピア・ネットワークは半二重方式を使っているので、（例えば、半二重オペレーションによる影響を軽減するため）区域内のピアを識別するための各ピアの受信時間の長さを最大化することができる。加えて、トラヒック３０６には、制御部分３０８（例、制御関連トラヒック状態）及びデータ部分３１０（例、データ関連トラヒック状態）を含めることができる。制御部分３０８を、例えば、ピアツーピア環境内の干渉を検知するために使うことができる。それに応じて制御部分３０８をピア探索３０４と同様な条件に関連付けることができる。それというのは、この状態の間、ピアは（例えば、多くの割合の時間をデータを受信するために使って環境中の干渉をモニタしながら）選定されたシンボルをランダムに送信することができるからである。しかして、ピア探索３０４に対し用いたと類似のパラメータの組を、制御部分３０８に使うことができる。さらに、データ部分３１０の間、各ピアはスイッチを切替えることなく情報を送信し又は受信することができる。従って、データ部分３１０に対する最適化パラメータを選択する際には半二重モードに関連する制約を考慮する必要はない。加えて、図示されていないが、これらと別の状態（例、ページング、…）をピアツーピア通信に関連付けることができる。さらに、各状態を遂行する時間枠をあらかじめ定めておくことができる。
【００２７】
図４を参照すると、さまざまな態様による周波数帯域４００の例が示されている。図示のように、水平軸４０２は周波数を表す。特定の搬送波周波数４０４に対する利用可能な帯域幅の総量をＫヶの等しい幅のトーンに（例えば、Δのトーン間隔で）分割することができ、Ｋを任意の整数とすることができる。これらのトーンに０からＫ−１までの指標をつけることができる。例としてトーン０  ４０６、トーン１  ４０８、トーン２  ４１０、及びトーンＫ−１  ４１２が図示されている。但し、請求対象はこの図に限定されない。
【００２８】
トーン間隔Δについては、ローカルエリア・ピアツーピア・ネットワークの状態に対応する独自のパラメータとすることができる。例えば、同様なトーン間隔をピア探索状態と制御関連トラヒック状態とに使うことができ、違ったトーン間隔をデータ関連トラヒックに用いることができる。さらなる例として、広域ネットワークには、ローカルエリア・ピアツーピア・ネットワークに関連するトーン間隔の少なくとも一つとは異なるトーン間隔を使うことができる。さらに、広域ネットワークの各特定の種類を対応するトーン間隔に関連付けることができる（例えば、フラッシュＯＦＤＭには１１．２５ｋＨｚトーン間隔を使い、３ＧＰＰ２には９．６ｋＨｚのトーン間隔を用いることができる、等々）。加えて、ローカルエリア・ピアツーピア・ネットワークの各種状態に関連付けられた各種トーン間隔については、共通の帯域幅を共用する特定の種類の広域ネットワークのトーン間隔の関数とすることができる（例えば、ローカルエリア・ピアツーピア・ネットワークを、広域ネットワークにカバーされる地理的区域の少なくとも一部において実施することができる）。しかして、ある例によれば、ローカルエリア・ピアツーピア・ネットワークが、所与の帯域で３ＧＰＰ２と共存している場合、ピアツーピア通信に関連する各状態のパラメータを（例えば、トーン間隔を含め）、３ＧＰＰ２に対するパラメータ（例、トーン間隔）の関数とすることができる。
【００２９】
トーン間隔は、移動度に基くものとすることができる。例えば、移動によりドップラー効果が生じこれにより周波数シフトが起こる。これにより、トーン０  ４０６を対応する周波数で送信することはできるが、受信機で得られたときには、トーン０  ４０６が違った周波数にシフトしてしまっていることがある。トーン間隔は、予期されるドップラー・シフトに比べかなり大きくなるよう選定することができる。ある例によれば、トーン間隔を予期されるドップラーよりも１００倍大きくすることができる。従って、予期されるドップラー・シフトが１００Ｈｚ（例えば、ＷＡＮに対し）の場合、トーン間隔は１０ｋＨｚ台とすることができる。但し、請求対象は前記の例には限定されない。さらに、ローカルエリア・ピアツーピア環境においては、広域ネットワークに比べて移動度が低いことが多く、しかして、ドップラーもより小さいものとなろう。従って、ローカルエリア・ピアツーピア・ネットワークに対しては、より小さいトーン間隔を用いることができる（例えば、データ関連トラヒック状態に対して、というのはこの状態ではトーン間隔及び／又はシンボル時間について干渉軽減の考慮に基づく必要がないので）。
【００３０】
図５を見ると、本明細書に記載されたさまざまな態様によって伝送できるシンボル５００の例が示されている。図示されるように水平軸５０２は時間を表す。シンボル５００は、（例えば、ＯＦＤＭ環境における）正弦波とすることができる。シンボル５００、ＴＳＹＭは、サイクリックプレフィックス５０４と、データを担持可能な部分５０６（ＩＦＦＴ窓としても知られる）とを含む。部分５０６の長さは、通常、１／Δに等しく、Δはトーン間隔である。サイクリックプレフィックス５０４、ＴＣＰの時間幅は、予期される遅延拡散よりも大きくすることができる。さらに、ＴＳＹＭ及びＴＣＰをピアツーピア・ネットワーク及び広域ネットワークに対し（異なる状態には値を変えて）選定されるパラメータとすることができる。
【００３１】
マルチパス伝搬によって遅延拡散が生じることがある。例えば、単一の送信信号が２つ以上の経路で受信機に到達することがある。前記例では、信号のコピーが、別々の経路に関連する異なった時間に受信されることがある。遅延拡散は、特定のネットワーク内の、信号が伝搬する面積の大きさと相関することが多い。ある例によれば、（例えば、大きな地理的面積が関わる）広域ネットワークにおいて、遅延拡散が約２から３μｓになることがあり、この場合、サイクリックプレフィックス（例、ＴＣＰ）を１０μｓ近辺にすることができる。さらに、ローカルエリア・ピアツーピア・ネットワークに対しては、（例えば、より小さな地理面積が関わっているので）遅延拡散はもっと小さくなり、遅延拡散が例えばナノ秒台のことがある。それに応じて、ローカルエリア・ピアツーピア・ネットワークに関連するサイクリックプレフィックス（例、ＴＣＰ）も１μｓ台にできる。さらに、例えば、ローカルエリア・ピアツーピア・ネットワークに関連する異なった状態に対し、それらのサイクリックプレフィックスを同様なものにすることができる（例えば、ピア探索、制御関連トラヒック、データ関連トラヒック等々に対するサイクリックプレフィックスを同様なものにすることができる）。
【００３２】
サイクリックプレフィックス５０４は、シンボル５００内のオーバーヘッドである。例えば、広域ネットワークにおいて、シンボル５００の１０％をオーバーヘッドにすることができる（例えば、ＴＣＰを１０μｓとし、ＴＳＹＭを１００μｓとすることができる）。さらに、ローカルエリア・ネットワークについては、（例えば、データ関連トラヒック状態に対して）広域ネットワークのトーン間隔に比べてトーン間隔（Δ）を小さくすることができ、従って、ＦＦＴ窓（例、ＴＳＹＭ）を増加することができ、これによりオーバーヘッドが削減される。
【００３３】
ローカルエリア・ピアツーピア・ネットワークの（例えば、ピア探索及び制御関連トラヒック時における）オーバーヘッドの（例えば、シンボル時間を増加しトーン間隔を低減させることによる）削減を、下記に説明するように別の設計上の制約とバランスさせることができる。ピアツーピア・ネットワークでは、ピアには受信と送信とを同時に行う能力を持たないようにすることができる。例えば、ピア探索は、識別特性信号（signature signals）をランダムな時間配置で送信することによって達成される。従って、あるピアがその識別特性信号を送信しているときには、別のピア（単数または複数）から送信されてきた識別特性信号（単数または複数）を受信する能力を持たないようにすることができる。しかして、シンボル時間ＴＳＹＭが増加するほど、別のピアが同じ時間にシンボルを送信してきている確率が増し、一つのピアが別のピアから送信された信号を受信しない尤度があがり、これにより、ピアツーピア・ネットワークにおいてピア探索及び制御関連トラヒックの間に使われるシンボル時間を、広域ネットワーク及び／又はピアツーピア通信に関連する、データ関連トラヒックのために使われるシンボル時間より短くすることができ、異なるピアからの伝送がオーバーラップする確率が低減される。
【００３４】
図６を参照すると、ローカルエリア・ピアツーピア環境において各種状態の間に用いることができるパラメータの値域のグラフ６００の例が図示されている。ある例によれば、ピアツーピア環境に対し使われるパラメータは、現在ピアツーピア通信に利用可能な帯域幅を使っている広域ネットワークに関連するパラメータの関数とすることができる。グラフ６００は、広域ネットワークのトーン間隔に対するトーン間隔の値域を示す。ピアツーピア・トーン間隔を、広域ネットワークのトーン間隔の関数とし、ΔＰ２Ｐ＝ｆ（ΔＷＡＮ）とすることができ、前式のΔＰ２Ｐはピアツーピア・ネットワークに対するトーン間隔であり、ΔＷＡＮは、広域ネットワークに対するトーン間隔である。例えば、ΔＰ２Ｐ＝ＮΔＷＡＮとすることができ、Ｎは実数である。従って、値域１では、Ｎ≧１（例、Ｎ＝２、４、８、１０、１２、１６、…）である。値域１のトーン間隔を、ピア探索及び制御関連トラヒックなどに利用することができる。値域１では、トーン間隔は大きくシンボル時間は短い。さらに、値域２を、データ関連トラヒック状態に対し用いるトーン間隔に関連付けることができ、値域２には、Ｎ≦１（例、Ｎ＝１／２、１／４、１／８、１／１０、１／１２、１／１６、…）といったトーン間隔を含めることができる。値域２では、トーン間隔は小さくシンボル時間は長い。別の例によれば、ピア探索及び制御関連トラヒックに関連するトーン間隔は、データ関連トラヒックに使用されるトーン間隔よりもほぼ５倍大きい。さらなる例によれば、ピア探索及び制御関連トラヒックには、（例えば値域１内の）８ΔＷＡＮのトーン間隔を使うことができ、一方、データ関連トラヒックに対しては、（例えば値域２内の）ΔＷＡＮ又は（１／２）×ΔＷＡＮのトーン間隔を使うことができ、しかして、これらのトーン間隔幅の比率を例えば８又は１６とすることができる。但し、請求対象は前記の例には限定されない。
【００３５】
次に図７を見ると、広域ネットワーク及びピアツーピア・ネットワークを介する通信を可能にする共用帯域を用いるシステム７００が図示されている。システム７００は無線端末装置２０２を含み、該端末装置には、コミュニケータ２０４、状態アイデンティファイヤ２０６、及びパラメータ・セレクタ２０８をさらに備えることができる。コミュニケータ２０４（及び／又は別のコンポーネント（図示せず））は、広域ネットワークを介してデータの送信及び／又は受信（例えば、基地局（図示せず）との通信）を可能にすることができる。さらに、コミュニケータ２０４は、ローカルエリア・ピアツーピア・ネットワークを介しての通信を可能にすることができる。無線端末装置２０２は、任意の種類の広域ネットワーク（例、３ＧＰＰ  ＬＴＥ、３ＧＰＰ２  ＥＶ−ＤＯ、ＣＤＭＡ−２０００、ＵＭＴＳ  Ｗ−ＣＤＭＡ、ＧＳＭ、ＥＤＧＥ、ＷｉＭａｘ、フラッシュＯＦＤＭ、…）を介して通信することができる。例えば、無線端末装置２０２は、直交周波数分割多重化―時間分割二重（ＯＦＤＭ−ＴＤＤ）モードを利用し、広域ネットワークを介してデータを取得及び／又は送信することができる（例えば、第一の時間枠においてアップリンク・トラヒックを、別の時間枠においてにおいてダウンリンク・トラヒック、…）。さらに、コミュニケータ２０４は、無線端末装置２０２が別のピア（別の無線端末装置（図示せず））と通信することを可能にする。また一方、無線端末装置２０２が、例えば、ピアツーピア環境を介して半二重方式で通信する間、信号の送信と受信とを同時に行えないようにすることができる。
【００３６】
さらに、状態アイデンティファイヤ２０６は、ピアツーピア通信に関連する状態を（例えば、特定の時間において）判断することができる。状態アイデンティファイヤ２０６は、何らかのシステム情報源からタイミング情報を得ることができる。典型的な情報源には、ブロードキャスト信号（無線標識（beacon）、ＰＮ、…）を送信している広域ネットワーク基地局、ローカルエリア・ピアツーピア・ネットワークの接続ポイント、内部クロック、及び人工衛星（例、ＧＰＳ）が含まれる。次いで、状態アイデンティファイヤ２０６は、該タイミング情報、及び時間と状態との間の所定のマッピング(mapping)によって、特定の時間に関連する状態を判断することができる。さらに、パラメータ・セレクタ２０８は、該判断された状態に基づいてピアツーピア通信に適用するパラメータの組を識別することができる。例えば、状態がピア探索又は制御関連トラヒックに関していると状態アイデンティファイヤ２０６が認識した場合、パラメータ・セレクタ２０８は、無線端末装置２０２送信とほぼ同様な時間に別のピアが送信してくる確率が最小になるようなパラメータの組（例、より短いシンボル時間、より大きなトーン間隔）を選択することができ、しかして、無線端末装置２０２が、こういったパラメータの組を採用した後、別のピアから伝送されたそのようなデータを見逃すことが少なくなることになろう。
【００３７】
無線端末装置２０２には、ある帯域幅が無線端末装置２０２のピアツーピア通信に利用できるかどうかを判断するＷＡＮアイデンティファイヤ７０２を含めることができる。さらに、ＷＡＮアイデンティファイヤ７０２は、現在該帯域幅を使っている広域ネットワークの種類、例えばＷＡＮが使っている特定のエア・インタフェース技術を検知することができる。この例によれば、ＷＡＮアイデンティファイヤ７０２は、その広域ネットワークがＬＴＥ、３ＧＰＰ、３ＧＰＰ２、ＵＭＴＳ，ＷｉＭａｘ、フラッシュＯＦＤＭなどの種類の広域ネットワークの一つであることを確認することができる。別の例として、ＷＡＮアイデンティファイヤ７０２は、利用可能な広域ネットワークに関するシステム・パラメータをさらに検知することができる。加えて、パラメータ・セレクタ２０８は、広域ネットワークに使われている、識別されたエア・インタフェース技術（例、ＷＡＮアイデンティファイヤ７０２によって判定された、利用可能な広域ネットワークの種類）及び／又はそれに関連するシステム・パラメータに応じて、ピアツーピア・ネットワークの識別された状態において使うためのパラメータ・データにアクセスすることができる。次いで、ピアツーピア・ネットワークに対する該パラメータの組を、当該状態に対する関連時間セグメントの間に送信及び／又は受信するため用いることができる。
【００３８】
さらに、無線端末装置２０２には、メモリ７０４及びプロセッサ７０６を含めることができる。メモリ７０４は、ピアツーピア・ネットワークに関連する各種の状態に対応するパラメータの組（例、パラメータ・組１、パラメータ・組Ｋ、…）を規定したルックアップ・テーブルを保持することができる。さらに、メモリ７０４には、さまざまな種類の広域ネットワークに対応する広域ネットワーク・パラメータを含めることができる。加えて、メモリ７０４は、広域ネットワークの種別（identity）の判断、該広域ネットワークに関連するパラメータの検知、ピアツーピア・ネットワークに関連する状態の識別、ピアツーピア・ネットワークに用いるパラメータの識別及び／又は導き出しなどに関する命令、を保持することができる。さらに、プロセッサ７０６は前記の命令及び／又は機能を実行することができる。
【００３９】
ある例によれば、無線端末装置２０２は、広域ネットワークに加わることができる。ＷＡＮアイデンティファイヤ７０２は広域ネットワークの種別を判断することができる。加えて、又はこれに換えて、ＷＡＮアイデンティファイヤ７０２は、広域ネットワークについての情報（例、広域ネットワークのパラメータ）を感知することができる。状態アイデンティファイヤ２０６は、ローカルエリア・ピアツーピア・ネットワークに関連する状態を判断することができる。さらに、パラメータ・セレクタ２０８は、メモリ７０４に保持されたルックアップ・テーブルを使ってピアツーピア・パラメータ（例、トーン間隔、シンボル時間、サイクリックプレフィックス、…）を選択し、ローカルエリア・ピアツーピア・ネットワークを介した通信のため用いることができる。例えば、メモリ７０４に格納されたルックアップ・テーブルには、識別された広域ネットワークの種別及び／又はＰ２Ｐの状態と相関させた一つ以上のピアツーピア・パラメータの値を規定することができる。しかして、パラメータ・セレクタ２０８は、広域ネットワークの種類と、認知された状態とに基づき、ルックアップ・テーブル又は所定の算式を使って、適用するパラメータを決定することができる。
【００４０】
さらなる例として、パラメータ・セレクタ２０８は、識別された状態に基づいて、ローカルエリア・ピアツーピア・ネットワークに用いるパラメータを計算することができる。ＷＡＮアイデンティファイヤ７０２は、ピアツーピア・ネットワークと同じ帯域中の広域ネットワークに対して用いられているＷＡＮパラメータを判定することができる。例えば、ＷＡＮアイデンティファイヤ７０２は、（例えば、基地局（図示せず）が送信する）無線標識、ＰＮ（擬似乱数）シーケンス信号、パイロット信号、又は他のブロードキャスト信号（broadcast signal）を検出することができ、これらを広域ネットワークと関連付けた識別特性信号とすることができる。さらに、ＷＡＮアイデンティファイヤ７０２は、ブロードキャスト信号を分析して、広域ネットワークに関連するＷＡＮパラメータを見積もることができる。別の例によれば、ＷＡＮアイデンティファイヤ７０２は、広域ネットワークの種類（例、使用されているエア・インタフェース技術）を識別し、メモリ７０４中のルックアップ・テーブルから、これに関連するＷＡＮパラメータを判定することができる。但し、請求対象は前期の例に限定されない。しかる後、パラメータ・セレクタ２０８は、ＷＡＮパラメータ、及び状態アイデンティファイヤ２０６の判断した現在の状態の関数として、ピアツーピア・ネットワークに対するパラメータを導き出すことができる。しかして、パラメータ・セレクタ２０８は、同じ帯域中の広域ネットワークで使われているＷＡＮパラメータの知識と、現在のピアツーピアに関連する状態に対応する条件とに基づいて、ピアツーピア・パラメータの選定を最適化することができる。
【００４１】
ピアツーピア・ネットワークが所与の帯域で広域ネットワークと共存している場合、Ｐ２Ｐパラメータを、ＷＡＮパラメータとＰ２Ｐの状態との関数にすることができる。ある例によれば、パラメータ・セレクタ２０８は、こういった関数に基づきＰ２Ｐパラメータを生成することができる。さらなる例によれば、ＷＡＮパラメータ及び／又はＰ２Ｐ状態に相関するＰ２Ｐパラメータを記載した情報を、メモリ７０４中のルックアップ・テーブルに含めることができる。ある例によれば、ＷＡＮ及びＰ２Ｐ両方のネットワークがＯＦＤＭベースのエア・インタフェース技術を用いることが想定される。Ｐ２Ｐパラメータは、ΔＰ２Ｐ＝ｆ（ΔＷＡＮ）として選定することができ、前式のΔＰ２Ｐはピアツーピア・ネットワークに対するトーン間隔であり、ΔＷＡＮは広域ネットワークに対するトーン間隔である。例えばΔＰ２Ｐ＝ＮΔＷＡＮとすることができ、Ｎは実数である。ピアツーピア環境はピア探索状態又は制御関連トラヒック状態に関連していると、状態アイデンティファイヤ２０６が判断した場合は、Ｎ≧１（例、Ｎ＝２、４、８、１０、１２、１６、…）となる。別の例では、アイデンティファイヤ２０６が、ピアツーピア環境はデータ関連トラヒックに関わっていると認識することになり、この場合は、Ｎ≦１（例、Ｎ＝１／２、１／４、１／８、１／１０、１／１２、１／１６、…）である。さらに、サイクリックプレフィックスの長さは、ＴＣＰ＿Ｐ２Ｐ＝ｇ（ＴＣＰ＿ＷＡＮ）として選択される（例、ＴＣＰ＿Ｐ２Ｐ＝（１／Ｋ）×ＴＣＰ＿ＷＡＮ、前式のＫ＝２、４、８、１０、１２、１６、…）。異なる状態に対してＮは異なるが、一つ以上の実施形態においてＫは全ての状態に対して同一である。例えば、ピア探索状態又は制御関連トラヒック状態に対してはＮ＝８、及びデータ関連トラヒック状態に対してはＮ＝１／２である。だが、該実施形態では、この３つの状態に対しＫ＝８である。しかして、さまざまな実施形態において、ピアツーピア・ネットワークに使われるトーン間隔を、広域ネットワークに対し用いられるトーン間隔よりもＮ倍大きくすることができ、ピアツーピア・ネットワークに対するシンボル時間を、広域ネットワークに対するシンボル時間の１／Ｎに短縮することができる。なお、関数ｆ又はｇについては、ＷＡＮが使用する特定のエア・インタフェースに応じたものとすることができる。例えば、ＷＡＮが３ＧＰＰ  ＬＴＥエア・インタフェース技術を使っている場合、又はＷＡＮがＷｉＭａｘエア・インタフェース技術を使っている場合、双方の技術ともＯＦＤＭに基いていたとしても、関数ｆ又はｇを異なったものとすることができる。さらに、ある例によれば、Ｐ２ＰネットワークはＯＦＤＭベースのエア・インタフェース技術を用いるが、ＷＡＮネットワークは、ＵＭＴＳ  Ｗ−ＣＤＭＡなどのＣＤＭＡベースのエア・インタフェース技術を使うことが想定される。Ｐ２Ｐパラメータは、ΔＰ２Ｐ＝ｈ（ＦＣＷＡＮ）として選択され、前式のＦＣＷＡＮをＵＭＴＳ  Ｗ−ＣＤＭＡで使われるシステムパラメータ（例、ＣＤＭＡチッププレート）を表すものとすることができる。
【００４２】
図８〜１０を参照すると、識別された状態に基づき、ピアツーピア環境での通信のためのパラメータの選定に関する方法が示されている。なお、説明の簡明化のためこれら方法は一続きの処理として示され記載されているが、これらの方法はこの処理順序に限られるものでなく、一つ以上の実施形態によれば、一部の処理は異なる順序で、及び／又は提示、記載された他の処理と同時に実施できる。例えば、当業者は、この図に換え、状態図などによって、これらの方法を一連の相互関連状態又はイベントとして表せることを良く分かっていよう。さらに、一つ以上の実施形態によれば、示された処理の必ずしも全部を使わなくても方法を実施することができる。
【００４３】
図８を参照すると、ローカルエリア・ピアツーピア・ネットワークにおけるパラメータの選定を容易化する方法８００が示されている。８０２において、ピアツーピア・ネットワークにおける第一状態に対し、パラメータの第一組を使用することができる。例えば、該パラメータは、トーン間隔、シンボル時間、サイクリックプレフィックスなどに関連させることができる。パラメータの第一組を、第一状態に関連する時間枠において、ピアツーピア・ネットワークを介する送信及び／又は受信のため用いることができる。８０４において、ピアツーピア・ネットワークにおける第二状態に対し、パラメータの第二組を使用することができる。パラメータの第二組を、第二状態に対応する時間枠において、ピアツーピア・ネットワークを介する送信及び／又は受信のため使用することができる。ピアツーピア・ネットワークを介する通信にさまざまな状態を関連付けることができる。例えば、ピアツーピア通信には、ピア探索状態、制御関連トラヒック状態、データ関連トラヒック状態、ページング状態、及び類似の状態を使うことができる。さらに、別の状態には相異なるパラメータの組を用いることができる。例として、ピア探索及び制御関連トラヒックを最適化して、いろいろなピアによる伝送の間での干渉を軽減及び／又は管理することができ、しかして、このような状態のため、より短いシンボル時間とより大きなトーン間隔とを含むパラメータの組を利用することができる。さらなる例によれば、データ関連トラヒックは、オーバーヘッド（例えば、サイクリックプレフィックスに関連する）を削減するパラメータを利用することができる。というのは、各ピアは、このような状態に関連する時間枠の間、切り替えを行うことなく送信又は受信いずれかだけを行っているからである。従って、データ関連トラヒック状態に対するパラメータの組には、より長いシンボル時間とより小さなトーン間隔を含めることができ、これにより、サイクリックプレフィックスに関連する全体的シンボル時間の割合を減少させ、オーバーヘッドを削減することができる。
【００４４】
次に図９を見ると、ローカルエリア・ピアツーピア・ネットワークを介する通信に使うパラメータの識別を容易化する方法９００が図示されている。９０２において、ピアツーピア通信に関連する状態を識別することができる。ピアツーピア通信に使われる状態は、所定（例、前もって定めた算式による算定）の時間に生じさせることができる。さらに、ピアツーピア・ネットワーク内のピア群を同期（例えば、受信信号に基づいて）させることができ、各ピアは、ピア探索、データ関連トラヒック、制御関連トラヒック、ページングなどに関連付けられた時間枠を認識することができる。ある例によれば、現在時間を識別することができ、現在時間に対応する状態を確認することができる。すなわち、例えば、状態を、算式に基づいて計算することができ、メモリに保持されたルックアップ・テーブルから読み出すことができ、感知するなどすることができる。９０４において、その状態に応じて、ピアツーピア通信に使われるパラメータの組にアクセスすることができる。ある例によれば、メモリ中に保持されたルックアップ・テーブルから一つ以上のパラメータを得ることができる。別の例によれば、当該状態に少なくとも部分的に基づいて、一つ以上のパラメータを計算することができる。さらに、ピアツーピア・ネットワークは、広域ネットワークと帯域を共用することができる。これに応じ、パラメータの組を、状態と、広域ネットワークに関連する別のパラメータとの関数にすることができる。ピアツーピア通信に対する前記パラメータの組を用いて、ピアツーピア・ネットワークを介したデータの送信及び／又は受信を行うことができる。例として、ピア探索状態又は制御関連トラヒック状態に対するパラメータの組は、半二重ピアの第一ピア自身が送信している間に第二ピアにより送信された信号を見逃す確率を低減することができる。別の例によれば、データ関連トラヒック状態に対するパラメータの組は、より長いシンボル時間及び／又はより小さなトーン間隔を包含することによってオーバーヘッドを削減することができる。
【００４５】
図１０を見ると、状態と広域ネットワークの種類（例、エア・インタフェース技術）に基くピアツーピア・パラメータの識別を容易化する方法１０００が図示されている。１００２において、ピアツーピア・ネットワークの状態が識別される。例えば、時間値に基づいて、ピア探索、制御関連トラヒック、データ関連トラヒックなどに関連する状態を認識することができる。１００４において、ピアツーピア・ネットワークと帯域幅を共用する広域ネットワークに種類を識別することができる。例えば、広域ネットワークは、ＯＦＤＭベースのエア・インタフェース技術（例、３ＧＰＰ  ＬＴＥ、ＷｉＭａｘ、フラッシュＯＦＤＭ、…）、ＣＤＭＡベースのエア・インタフェース技術（例、ＣＤＭＡ−２０００、ＥＶ−ＤＯ、ＵＭＴＳワイドバンドＣＤＭＡ、ＨＳＰＡ、…）、又はＴＤＭＡベースのエア・インタフェース技術（例、ＧＳＭ、ＧＰＲＳ、ＥＤＧＥ、…）を使うものとすることができる。さらに、ＷＡＮパラメータを判定することができ、該ＷＡＮパラメータを、ＯＦＤＭベースのエア・インタフェース技術に対するトーン間隔、シンボル時間、サイクリックプレフィックスなどに関連させることができる。１００６において、ピアツーピア・ネットワークの状態と、広域ネットワークの種類に基づいて、ピアツーピア・ネットワークに対するパラメータを取得することができる。例えば、ピアツーピア・ネットワークに対するパラメータを、状態とＷＡＮパラメータとに基づいて導き出すことができる。さらに、状態と、広域ネットワークに用いられているエア・インタフェース技術の種類とに基づいて、メモリ中に保持されているルックアップ・テーブルから読み出すこともできる。
【００４６】
なお、本明細書に記載された一つ以上の態様によれば、ピアツーピア・ネットワークの状態に基づきピアツーピア通信に使うパラメータを決定することに関して推測が可能である。本明細書で使う「推測する（infer）」又は「推測（inference）」という用語は、一般に、イベント及び／又はデータを通して得られた一組の観測から、システム、環境及び／又はユーザの状態を推論又は推測するプロセスをいう。推測を用いて特定のコンテキスト又は処理を識別することができ、又は、例えば、状態に関する確率分布を生成することができる。推測は確率的である、すなわちデータ及びイベントの検討に基づく対象の状態に関する確率分布の計算である。また、推測は、一組のイベント及び／又はデータから高レベルのイベントを構成するため用いられる技法ということもできる。こういった推測により、一組の観測された新規イベント及び／又は格納されたイベント・データから、それらイベントが密接な時間近接性で相関しているかどうかに関わらず、さらに、イベント及びデータが、一つ、あるいはいくつかのイベント及びデータ源からのものかどうかに関わらず、新しいイベント又は処理の構築がもたらされる。
【００４７】
ある例によれば、前に提示した一つ以上の方法は、ピアツーピア・ネットワークを介する通信に対して用いられるパラメータの決定に関連して推測を行うことを含む。別の例によれば、状態、及び／又は、ピアツーピア・ネットワークとの共用帯域を使用する広域ネットワークの種類に基づいて最適なパラメータを選定することに関連して推測を行うことができる。なお、前記例は、例示的性質のものであって、本明細書に記載されたさまざまな実施形態及び／又は方法に関連して、可能な推測対象の数又はかかる推測を行うやり方を限定することを意図したものではない。
【００４８】
図１１は、さまざまな態様により実装された、複数のセル：セルＩ１１０２及びセルＭ１１０４を含む通信システム１１００の例を示す。なお、隣り合ったセル１１０２と１１０４とは、セル境界域１１６８で示されるように、わずかにオーバーラップしており、これにより、隣り合うセルの基地局が送信する信号の間での信号干渉に対する可能性が生じる。システム１１００の各セル１１０２、１１０４は３つのセクタを含む。さまざまな態様によれば、サブ分割されていないセル（Ｎ＝１）、２つのセクタを有するセル（Ｎ＝２）、３を超える数のセクタを有するセル（Ｎ＞３）も可能である。セル１１０２は、第一セクタ、セクタＩ  １１１０、第二セクタ、セクタＩＩ  １１１２、及び第三セクタ、セクタＩＩＩ  １１１４を含む。セクタ１１１０、１１１２、１１１４は、各々２つのセクタ境界域を有し、各境界域は２つの隣接するセクタの間で共有されている。
【００４９】
セクタ境界域では、隣り合うセクタの基地局から送信される信号の間で信号干渉が起こる可能性がある。ライン１１１６は、セクタＩ  １１１０とセクタＩＩ  １１１２との間のセクタ境界域を表し、ライン１１１８は、セクタＩＩ  １１１２とセクタＩＩＩ  １１１４との間のセクタ境界域を表し、ライン１１２０は、セクタＩＩＩ  １１１４とセクタＩ  １１１０との間のセクタ境界域を表す。同様に、セルＭ１１０４は第一セクタのセクタＩ  １１２２、第二セクタのセクタＩＩ  １１２４、及び第三セクタのセクタＩＩＩ  １１２６を含む。ライン１１２８は、セクタＩ  １１２２とセクタＩＩ  １１２４との間のセクタ境界域を表し、ライン１１３０は、セクタＩ  Ｉ１１２４とセクタＩＩ  Ｉ１１２６との間のセクタ境界域を表し、ライン１１３２は、セクタＩＩＩ  １１２６とセクタＩ  １１２２との間のセクタ境界域を表す。セルＩ１１０２は、基地局（ＢＳ）Ｉ１１０６、及び各セクタ１１１０、１１１２、１１１４内に複数の終端ノード（ＥＮｓ）（例、無線端末装置）を含む。セクタＩ  １１１０は、それぞれ無線リンク１１４０、１１４２を介してＢＳ１１０６に連結されたＥＮ（１）１１３６及びＥＮ（Ｘ）１１３８を含み、セクタＩＩ  １１１２は、それぞれ無線リンク１１４８、１１５０を介してＢＳ１１０６に連結されたＥＮ（１’）１１４４及びＥＮ（Ｘ’）１１４６を含み、セクタＩＩＩ  １１１４は、それぞれ無線リンク１１５６、１１５８を介してＢＳ１１０６に連結されたＥＮ（１”）１１５２及びＥＮ（Ｘ”）１１５４を含む。同様に、セルＭ１１０４は、基地局Ｍ１１０８、及び各セクタ１１２２、１１２４、１１２６内に複数の終端ノード（ＥＮｓ）を含む。セクタＩ  １１２２は、それぞれ無線リンク１１４０’、１１４２’を介してＢＳ  Ｍ１１０８に連結されたＥＮ（１）１１３６’及びＥＮ（Ｘ）１１３８’を含み、セクタＩＩ  １１２４は、それぞれ無線リンク１１４８’、１１５０’を介してＢＳＭ１１０８に連結されたＥＮ（１’）１１４４’及びＥＮ（Ｘ’）１１４６’を含み、セクタ３  １１２６は、それぞれ無線リンク１１５６’、１１５８’を介してＢＳ１１０８に連結されたＥＮ（１”）１１５２’及びＥＮ（Ｘ”）１１５４’を含む。
【００５０】
また、システム１１００は、それぞれリンク１１６２、１１６４を介して、ＢＳＩ  １１０６とＢＳＭ１１０８とに連結されたネットワーク・ノード１１６０を含む。ネットワーク・ノード１１６０もまた例えば他の基地局、ＡＡＡサーバ・ノード、中間ノード、ルータなどの他のネットワーク・ノードに、さらにネットワーク・リンク１１６６を介してインターネットに連結されている。ネットワーク・リンク１１６２、１１６４、１１６６は、例えば光ファイバー・ケーブルとすることができる。例えばＥＮ（１）１１３６など各終端ノードは、送信機及び受信機を含む無線端末装置とすることができる。例えばＥＮ（１）１１３６などの無線端末装置はシステム１１００を通って移動することができ、ＥＮが現在位置するセル内の基地局との無線リンクを介して通信することができる。例えばＥＮ（１）などの無線端末装置（ＷＴｓ）は、システム１１００内又はシステム１１００外部の、例えば他のＷＴｓなどのピア・ノードと、例えばＢＳ１１０６などの基地局及び／又はネットワーク・ノード１１６０を介して通信することができる。例えばＥＮ（１）１１３６などのＷＴｓは、携帯電話、無線モデムを備えた携帯端末などの移動通信装置とすることができる。それぞれの基地局は、トーン割当て、及び非ストリップシンボル期間など残りのシンボル期間におけるトーン・ホッピングを設定するのに用いられる方法の中から、ストリップシンボル期間に対する各種方法を使って、トーンのサブセット割当てを実施する。無線端末装置は、基地局スロープＩＤ、セクタＩＤ情報など基地局から受信した情報とトーン・サブセット割当て方法とを使って、特定のストリップシンボル期間にデータ及び情報を受信するため用いることのできるトーンを設定する。さまざまな態様によれば、トーン・サブセット系列（sequence）が構築され、セクタ間、及びセル間干渉はそれぞれのトーンに拡散する。
【００５１】
通信システム１１００は、ローカルエリア・ピアツーピア通信にも対応することができる。例えば、ローカルエリア・ピアツーピア通信と、広域ネットワーク（例、携帯電話インフラ・ネットワーク）を介する通信との双方に共通の帯域を利用することができる。無線端末装置は、ピアツーピア・ネットワーク１１７０，１１７２、及び１１７４などのローカルエリア・ピアツーピア・ネットワークを介して他のピアと通信することができる。なお、３つのピアツーピア・ネットワーク１１７０〜１１７４が図示されているが、任意の数、サイズ、形状などのピアツーピア・ネットワークをサポートすることができる。例えば、ピアツーピア・ネットワーク１１７０〜１１７４は、無線端末装置間の直接の信号伝送をサポートすることができる。さらに、各ピアツーピア・ネットワーク１１７０〜１１７４は、同様な地理的区域内（例、互いの区域内）に無線端末装置を含む。例えば、ＥＮ（１）１１３６は、ローカルエリア・ピアツーピア・ネットワーク１１７０を介してＥＮ（Ｘ）１１３８と通信することができる。但し、これら無線端末装置が同一のセクタ及び／又は共通のピアツーピア・ネットワークに含まれるセルに属している必要はない。さらに、ピアツーピア・ネットワークをオーバーラップさせることができる（例えば、ＥＮ（Ｘ’）１１４６はピアツーピア・ネットワーク１１７２及び１１７４を利用することができる）。さらに、無線端末装置はピアツーピア・ネットワークにサポートされねばならないことはない。無線端末装置は、両ネットワークがオーバーラップ（並列に又は直列に）している場合、広域ネットワーク及び／又はピアツーピア・ネットワークを用いることができる。さらに、無線端末装置は、こういったネットワークを、切れ目なく切り替えて、又は同時に利用することができる。従って、無線端末装置は、送信及び／又は受信いずれにおいても、これらネットワークの一つ以上を選択的に用いて通信を最適化することができる。
【００５２】
図１２は、さまざまな態様による基地局の例１２００を示す。基地局１２００セルの個々の異なる種類のセクタに対し生成された異なるトーン・サブセット割当て系列を使って、トーン・サブセット割当て系列を実施する。基地局１２００は、図１１のシステム１１００の１１０６、１１０８のいずれとしても使うことができる。基地局１２００は、バス１２０９によって一緒に連結された、受信機１２０２と、送信機１２０４と、例えばＣＰＵであるプロセッサ１２０６と、入力／出力インタフェース１２０８と、メモリ１２１０とを含み、各種構成要素１２０２、１２０４、１２０６、１２０８、及び１２１０は該バスを介してデータ及び情報を交換することができる。
【００５３】
受信機１２０２に連結されたセクタ別アンテナ１２０３は、該基地局のセル内の各セクタからの無線端末装置の伝送による、データとチャネル・レポートなど他の信号とを受信するために使われる。送信機１２０４に連結されたセクタ別のアンテナ１２０５は、該基地局のセルの各セクタ内の無線端末装置１３００（図１３参照）に、データ、及び、例えば、制御信号、プロット信号、無線識別信号など他の信号を送信するため使われる。さまざまな態様において、基地局１２００は、例えば、各セクタに対する個別の受信機１２０２及び各セクタに対する個別の送信機１２０４など、多重受信機１２０２及び多重送信機１２０４を用いることができる。プロセッサ１２０６は、例えば、汎用中央演算処理装置（ＣＰＵ）とすることができる。プロセッサ１２０６は、メモリ１２１０に格納された一つ以上のルーチン１２１８の命令の下で基地局１２００のオペレーションを制御し方法を実施する。Ｉ／Ｏインタフェース１２０８は、他のネットワーク・ノードへの接続を提供し、ＢＳ１２００を他の基地局、接続ルータ、サーバ・ノードなどに連結する。メモリ１２１０は、ルーチン１２１８及びデータ／情報１２２０を含む。
【００５４】
データ／情報１２２０は、データ１２３６と、ダウンリンク・ストリップシンボル時間情報１２４０及びダウンリンク・トーン情報１２４２を含むトーン・サブセット割当て系列情報１２３８と、ＷＴ情報の複数の組：ＷＴ１情報１２４６及びＷＴＮ情報１２６０を含む無線端末装置（ＷＴ）データ／情報１２４４とを包含する。ＷＴ１情報１２４６などのＷＴ情報の各々の組は、データ１２８４、端末装置ＩＤ１２５０、セクタＩＤ１２５２、アップリンク・チャネル情報１２５４、ダウンリンク・チャネル情報１２５６、及びモード情報１２５８を含む。
【００５５】
ルーチン１２１８は、通信ルーチン１２２２及び基地局制御ルーチン１２２４を包含する。基地局制御ルーチン１２２４は、スケジューラ・モジュール１２２６、及び、ストリップシンボル期間に対するトーン・サブセット割当てルーチン１２３０と、例えば非ストリップシンボル期間など残りのシンボル期間に対する他のダウンリンク・トーン割当てホッピング・ルーチン１２３２と、無線標識ルーチン１２３４とを含む信号伝達ルーチン１２２８とを包含する。
【００５６】
データ１２３６は、ＷＴｓに伝送するに先立って符号化するために送信機１２０４のエンコーダ１２１４に送られることになる送信対象のデータ、及び、受信後、受信機１２０２のデコーダ１２１２を通して処理されたＷＴｓからの受信データを含む。ダウンリンク・ストリップシンボル時間情報１２４０は、スーパースロット、ビーコンスロット、及びウルトラスロット構造情報などのフレーム同期構造情報と、所与のシンボル期間がストリップシンボル期間かどうか、そうであれば該ストリップシンボル期間の指標を特定し、さらに、基地局が使用するトーン・サブセット割当て系列を打切るリセット・ポイントかどうかを特定するための情報とを含む。ダウンリンク・トーン情報１２４２は、基地局１２００に割当てられた搬送波周波数と、トーンの数及び周波数と、ストリップシンボル期間に割当てるトーン・サブセットの組とを含む情報、並びに、他の、スロープ、スロープ指標、及びセクタ種類などのセル及びセクタ固有の値を包含する。
【００５７】
データ１２４８には、ＷＴ１  １３００がピア・ノードから受信したデータ、ＷＴ１  １３００がピア・ノードへの送信を所望するデータ、及びダウンリンク・チャネル品質の報告フィードバック情報を含めることができる。端末装置ＩＤは、基地局１２００が割当てたＷＴ１  １３００を識別するＩＤである。セクタＩＤ１２５２は、ＷＴ１  １３００が作動しているセクタを識別する情報を包含する。セクタＩＤ１２５２を使って、例えば、セクタの種類を判定することができる。アップリンク・チャネル情報１２５４は、例えば、ＥＴ１  １３００が使うためスケジューラ１２２６が割当てた、例えば、データ用のアップリンク・トラヒック・チャネル・セグメント、及び、要求用、パワー制御用、タイミング制御用等の専用アップリンク制御チャネルなど、のチャネル・セグメントを識別する情報を含む。ＷＴ１  １３００に割当てられた各々のアップリンク・チャネルは、一つ以上の論理トーン（logical tones）を含み、各論理トーンはアップリンク・ホッピング系列に従う。ダウンリンク・チャネル情報１２５６は、例えば、ユーザ・データ用のダウンリンク・トラヒック・チャネル・セグメントなど、ＷＴ１  １３００にデータ及び／又は情報を搬送するためにスケジューラ１２２６が割当てたチャネル・セグメントを識別する情報を含む。ＷＴ１  １３００に割当てられた各々のダウンリンク・チャネルは、一つ以上の論理トーンを含み、各論理トーンはダウンリンク・ホッピング系列に従う。モード情報１２５８は、例えば、スリープ、ホールド、オンなど、ＷＴ１  １３００の動作状態を識別する情報を含む。
【００５８】
通信ルーチン１２２２は、基地局１２００が行う、さまざまな通信オペレーションの遂行と、さまざまな通信プロトコルの実施とを制御する。基地局制御ルーチン１２２４は、基地局１２００が行う、例えば信号発生及び受信、スケジューリングなどの、基本的基地局機能タスクの遂行と、ストリップシンボル期間にトーン・サブセット割当てを使って無線端末装置に信号を送信することを含めたいくつかの態様の方法のステップ実施とを制御する。
【００５９】
信号伝達ルーチン１２２８は、受信機１２０２及びそのデコーダ１２１２の作動と、送信機１２０４及びそのエンコーダ１２１４の作動とを制御する。信号伝達ルーチン１２２８は、送信されるデータ１２３６及び制御情報の生成を制御する役割を有する。トーン・サブセット割当てルーチン１２３０は、該態様の方法を用い、ダウンリンク・ストリップシンボル時間情報１２４０及びセクタＩＤ１２５２を包含するデータ／情報１２２０を用いて、ストリップ・シンボル期間に使われるトーン・サブセットを構築する。ダウンリンク・トーン・サブセット割当て系列は、セル内の各セクタ種類に対して異なり、隣接するセルに対して異なることになる。ＷＴｓ１３００は、ダウンリンク・トーン・サブセット割当て系列に従って、ストリップ・シンボル期間に信号を受信し、基地局１２００は、送信信号を生成するため、同一のダウンリンク・トーン・サブセット割当て系列を使用する。他のダウンリンク・トーン割当てホッピング・ルーチン１２３２は、ストリップ・シンボル期間以外のシンボル期間に対し、ダウンリンク・トーン情報１２４２及びダウンリンク・チャネル情報１２５６を含む情報を用いて、ダウンリンク・トーン・ホッピング系列を構築する。ダウンリンク・データ・トーン・ホッピング系列は、セルのセクタ全体を通して同期される。無線標識ルーチン１２３４は無線標識信号の伝送を制御し、該信号は、例えば、一つ又はいくつかのトーンに集中された比較的にハイパワーの信号で、ダウンリンク信号のフレーム・タイミング構造を同期し、従ってウルトラスロット境界に対するトーン・サブセット割当て系列を同期するなど、同期化目的に使うことの可能な信号である。
【００６０】
図１３は、例えば、図１１に示されたシステム１１００の、ＥＮ（１）など、無線端末装置（例、終端ノード、移動装置、…）のどれにでも使用可能な無線端末装置１３００（例、終端ノード、移動装置、…）の例を示す。無線端末装置１３００は、トーン・サブセット割当て系列を実行する。無線端末装置１３００は、バス１３１０によって一緒に連結された、デコーダ１３１２を包含する受信機１３０２と、エンコーダ１３１４を包含する送信機１３０４と、プロセッサ１３０６と、メモリ１３０８とを含み、各種構成要素１３０２、１３０４、１３０６、１３０８は該バスを介してデータ及び情報を交換することができる。基地局１２００（及び／又は別の無線端末装置）からの信号を受信するのに使われるアンテナ１３０３は受信機１３０２に連結されている。例えば基地局１２００（及び／又は別の無線端末装置）への信号送信に使われるアンテナ１３０５は送信機１３０４に連結されている。
【００６１】
プロセッサ１３０６（例、ＣＰＵ）は、無線端末装置１３００を制御し、ルーチン１３２０を実行し、メモリ１３０８中のデータ／情報１３２２を使って各方法を遂行する。
【００６２】
データ／情報１３２２は、ユーザ・データ１３３４と、ユーザ情報１３３６と、トーン・サブセット割当て系列情報１３５０と、ルックアップ・テーブル１３５６とを含む。ユーザ・データ１３３４には、送信機１３０４によって基地局１２００に送信される前に符号化のためエンコーダ１３１４に送られることになる、ピア・ノードに向けたデータと、受信機１３０２中のデコーダ１３１２によって処理済みの、基地局１２００から受信したデータと含めることができる。ユーザ情報１３３６は、アップリンク・チャネル情報１３３８と、ダウンリンク・チャネル情報１３４０と、端末装置ＩＤ情報１３４２と、基地局ＩＤ情報１３４４と、セクタＩＤ情報１３４６と、モード情報１３４８とを含む。アップリンク・チャネル情報１３３８は、無線端末装置１３００が、基地局１２００に送信を行う際に使用するため基地局１２００によって割当てられたアップリンク・チャネル・セグメントを識別する情報を含む。アップリンク・チャネルには、アップリンク・トラヒック・チャネル・セグメント、及び要求チャネル、パワー制御チャネル、タイミング制御チャネルなどの専用アップリンク制御チャネルを含めることができる。各アップリンク・チャネルは、一つ以上の論理トーンを含み、各論理トーンはアップリンク・ホッピング系列に従う。アップリンク・ホッピング系列は、セルの各セクタ種類の間で異なっており、隣接するセルの間でも異なっている。ダウンリンク・チャネル情報１３４０は、ＢＳ１２００がＷＴ１３００にデータ／情報を送信しているときに使うように、基地局１２００がＷＴ１３００に割当てたダウンリンク・チャネル・セグメントを識別する情報を含む。ダウンリンク・チャネルには、ダウンリンク・トラヒック・チャネル及び割振りチャネルを含めることができ、各ダウンリンク・チャネルは一つ以上の論理トーンを含み、各論理トーンはダウンリンク・ホッピング系列に従い、該系列は セルの各セクタの間で同期されている。
【００６３】
また、ユーザ情報１３３６は、基地局１２００に割当てられた識別番号である端末装置ＩＤ１３４２、ＷＴが通信を確立している特定の基地局１２００を識別する基地局ＩＤ情報１３４４、及びＷＴ１３００が現在位置する説の特定のセクタを識別するセクタＩＤ情報１３４６も含む。基地局ＩＤ１３４４はセル・スロープ値を提供し、セクタ情報は１３４６はセクタ指標の種類を提供し、該セル・スロープ値とセクタ指標種類は、トーン・ホッピング系列を導き出すために使うことができる。ユーザ情報１３３６にはモード情報１３４８も含まれており、これはＷＴ１３００がスリープ・モードにあるのか、ホールド・モードなのか、オン・モードにあるのかを識別する。
【００６４】
トーン・サブセット割当て系列情報１３５０は、ダウンリンク・ストリップシンボル時間情報１３５２及びダウンリンク・トーン情報１３５４を含む。ダウンリンク・ストリップシンボル時間情報１３５２は、スーパースロット、ビーコンスロット、ウルトラスロット構造情報などのフレーム同期化構造情報と、所与のシンボル期間がストリップシンボル期間かどうか、そうであれば該ストリップシンボル期間の指標を特定し、さらに、基地局が使用するトーン・サブセット割当て系列を打切るリセット・ポイントかどうかを特定するための情報とを含む。ダウンリンク・トーン情報１３５４は、基地局１２００に割当てられた搬送波周波数と、トーンの数及び周波数と、ストリップシンボル期間に割当てるトーン・サブセットの組とを含む情報、並びに、他の、スロープ、スロープ指標及びセクタ種類などのセル及びセクタ固有の値を包含する。
【００６５】
ルーチン１３２０は、通信ルーチン１３２４、無線端末装置制御ルーチン１３２６、状態識別ルーチン１３２８、ＷＡＮ種類判定ルーチン１３３０及びパラメータ選定ルーチン１３３２を含む。通信ルーチン１３２４はＷＴ１３００が使用するさまざまなプロトコルを制御する。例えば、通信ルーチン１３２４は、（例えば、基地局１２００との）広域ネットワーク及び／又は（例えば、別の無線端末装置と直接の）ローカルエリア・ピアツーピア・ネットワークを介する通信を可能にすることができる。無線端末装置制御ルーチン１３２６は、受信機１３０２と送信機１３０４との制御を含め、無線端末装置１３００の基本機能を制御する。状態識別ルーチン１３２８は、ピアツーピア・ネットワークに関連する状態の確認の制御をする。例えば、状態識別ルーチン１３２８は、無線端末装置と、共通のピアツーピア・ネットワークに属している別の無線端末装置との同期化を可能にすることができる。さらに、状態識別ルーチン１３２８は、状態の識別に関連してルックアップ・テーブル１３５６を利用することができる。ＷＡＮ種類判定ルーチン１３３０は、ピアツーピア・ネットワークと帯域幅を共用している広域ネットワークの種類（例、エア・インタフェース技術の認知）の識別を制御する。さらに、ＷＡＮ種類判定ルーチン１３３０は、ルックアップ・テーブル１３５６を用いることができる。パラメータ選定ルーチン１３３２は、ピアツーピア通信に使われるパラメータの組を制御する。例えば、トーン間隔、サイクリックプレフィックス、シンボル時間などのパラメータを識別することができる。加えて、パラメータ選定ルーチン１３３２は、ルックアップ・テーブル１３５６を利用することができる。
【００６６】
図１４を参照すると、ローカルエリア・ピアツーピア・ネットワークを介した通信を可能にするシステム１４００が図示されている。例えば、システム１４００は、無線端末装置内に少なくとも部分的に配置することができる。なお、システム１４００は、機能ブロックを含むように表示されており、該ブロックは、プロセッサ、ソフトウエア、又はそれらの組合せ（例、ファームウエア）により実行される機能を表す機能ブロックとすることができる。システム１４００は、連動して機能する電気コンポーネントの論理的組み分け１４０２を含む。例えば、論理的組み分け１４０２には、ピアツーピア通信に関連する状態を識別するための電気コンポーネント１４０４を含めることができる。例えば、状態（例、ピア探索、制御関連トラヒック、データ関連トラヒック、ページング、…）を、あらかじめ定めた時間にピアツーピア・ネットワークに関連付けることができる。さらに、各ピアを同期させ共通の時間認識を持たせることができる。しかして、時間をベースにして状態を確認にすることができる。さらに、論理的組み分け１４０２には、その状態に応じてピアツーピア通信で使うパラメータの組にアクセスするための電気コンポーネント１４９６を備えることができる。ピアツーピア・ネットワークは、広域ネットワークと共用する帯域幅を使うことができる。ある例によれば、ピアツーピア通信に用いるパラメータを（例えば、状態、広域ネットワークの種類、及び／又は広域ネットワークに対応するパラメータに基づいて）導き出すことができる。さらなる例によれば、ピアツーピア・ネットワーク・パラメータは、ルックアップ・テーブルから識別することができる。加えて、システム１４００には、電気コンポーネント１４０４及び１４０６に関連する機能を実行するための命令を保持するメモリ１４０８を含めることができる。なお、メモリ１４０８の外部に図示されているが、一つ以上の電気コンポーネント１４０４及び１４０６を、メモリ１４０８の内部に配置することができる。
【００６７】
なお、本明細書に記載した実施形態を、ハードウエア、ソフトウエア、ファームウエア、ミドルウエア、マイクロコード、又はこれらの任意の組合せに実装することができる。ハードウエアに実装する場合、その処理ユニットは、特定用途向け集積回路（ＡＩＳＣｓ）、デジタル信号プロセッサ（ＤＳＰｓ）、デジタル信号処理装置（ＤＳＰＤｓ）、プログラム可能論理回路（ＰＬＤｓ）、フィールド・プログラ無可能ゲート・アレイ（ＦＰＧＡｓ）プロセッサ、コントローラ、マイクロコントローラ、本明細書に記載された機能を遂行するよう設計された電子ユニット、又はこれらの組合せ、のうちの一つ以上に実装することができる。
【００６８】
これらの実施形態を、ソフトウエア、ファームウエア、ミドルウエア、又はマイクロコード、プログラムコード、又はコード・セグメントに実装する場合、該実施形態を、記憶コンポーネントなどのマシン可読媒体に格納することができる。コード・セグメントを使って、手順、機能、サブプログラム、プログラム、ルーチン、サブルーチン、モジュール、ソフトウエア・パッケージ、クラス、又は命令、データ構造又はプログラム・ステートメントの任意の組合せを表すことができる。コード・セグメントは、情報、データ、引数、パラメータ又はメモリ内容を送信及び／又は受信することによって、別のコード・セグメント又はハードウエア回路に連結することができる。情報、引数、パラメータ、データなどは、メモリ共有、メッセージパッシング、トークンパッシング、ネットワーク伝送などを含む任意の適切な手段を使って、回送、転送、送信することができる。
【００６９】
ソフトウエアに実装する場合、本明細書に記載された技法は、本明細書記載の機能を遂行するモジュール（例、手順、機能など）として実装することができる。ソフトウエア・コードは、メモリ・ユニットに格納してプロセッサに実行させることができる。該メモリ・ユニットをプロセッサに内部又は外部に実装することができ、外部の場合、従来から周知のさまざまな手段を使ってメモリを通信可能にプロセッサに連結することができる。
【００７０】
前述した説明には一つ以上の実施形態の例が含まれる。当然ながら、前述の実施形態を説明するため、コンポーネント又は方法の考え得るあらゆる組合せを記載することはできないが、当業者は、さらなる多くの組合せ及び置き換えによって、さまざまな実施形態が可能なことを認識していよう。従って、記載された実施形態は、添付の請求項の精神及び範囲に含まれるそういった全ての変形、修正及び変更を包含するよう意図されている。さらに、本明細書あるいは請求項で使われる限りにおいて、用語「含む（includes）」には、請求項において用語「備える（comprising）」が移行語として用いられた場合の該用語「備える」と同様な意味での包含性が意図されている。
【図面の簡単な説明】
【００７１】
【図１】本発明の本明細書に記載されたさまざまな態様による無線通信システムを示す図。
【図２】本発明のピアツーピア通信に関連する状態に応じてパラメータを選定するシステム例示す図。
【図３】本発明のローカルエリア・ピアツーピア・ネットワークを介した通信に関連する状態図示す例。
【図４】本発明のさまざまな態様による周波数帯域例示す図。
【図５】本発明の本明細書に記載されたさまざまな態様による、伝送可能なシンボルの例示す図。
【図６】本発明のローカルエリア・ピアツーピア環境における異なった状態において用いることの可能なパラメータ範囲のグラフ例示す図。
【図７】本発明の広域ネットワークとピアツーピア・ネットワークとを介する通信を可能にする共用帯域を利用するシステム例示す図。
【図８】本発明のローカルエリア・ピアツーピア・ネットワークにおいてパラメータの選定を容易化する方法例示す図。
【図９】本発明のローカルエリア・ピアツーピア・ネットワークを介して通信するため使われるパラメータの識別を容易化する方法例示す図。
【図１０】本発明の広域ネットワークの状態及び種類（例、エア・インタフェース技術）に基いてピアツーピア・パラメータの識別を容易化する方法例示す図。
【図１１】本発明の複数セルを含むさまざまな態様により実装された通信システム例示す図。
【図１２】本発明のさまざまな態様による基地局例示す図。
【図１３】本発明の本明細書に記載されたさまざまな態様により実装された無線端末装置（例、移動装置、終端ノード）例示す図。
【図１４】本発明のローカルエリア・ピアツーピア・ネットワークを介した通信を可能にするシステム例示す図。
【図１】
2009523382.tif 000003
【図２】
2009523382.tif 000004
【図３】
2009523382.tif 000005
【図４】
2009523382.tif 000006
【図５】
2009523382.tif 000007
【図６】
2009523382.tif 000008
【図７】
2009523382.tif 000009
【図８】
2009523382.tif 000010
【図９】
2009523382.tif 000011
【図１０】
2009523382.tif 000012
【図１１】
2009523382.tif 000013
【図１２】
2009523382.tif 000014
【図１３】
2009523382.tif 000015
【図１４】
2009523382.tif 000016
【国際調査報告】
2009523382.tif 000017
2009523382.tif 000018
2009523382.tif 000019